(57)【要約】大型のカセット式ステープラーにおけるカセットの後端下面にカセットの装着位置を固定する係止手段を簡単な構成にて設けることを課題とする。カセットの後端にカセットを抜き取る方向に付勢するバネ１４を設け、更にカセット５の後端下面に係止凸部１６を設け、一方、係止凸部に対向するベース１側に設けられたバネ２２の付勢により上方に回動して係止凸部１６に自動的に係止し、かつ手動にて押し下げることにより係止を解除することが可能なフック２１とから成る係止手段１５を設ける。
2003099522.tif 000002
【特許請求の範囲】
【請求項１】
ブレードの上下動で針を駆動させるカセット式ステープラーにおいて、挿入先端下面部に係止突起が突設されているカセット式ステープラーのカセットを装着するフレームにカセットガイド部が備えられたカバー部が設けられ、該カセットガイド部後端下部に回動軸を支点とし発条体で上方に付勢されているレバーを備えた操作部が配設され、該レバーの上面に前記カセットの下面部突起に係合する係止突起を形設すると共に、前記カセットガイド部後端に前記カセットを取り出す方向に付勢する弾性部材を配設してなり、
前記弾性部材で付勢されている前記操作部を下方に押圧することで、前記レバーを回動させて、前記カセットの係止突起に自動的に係止している前記レバーの係止突起の係止を解除可能にしたことを特徴とするカセット式ステープラー。
【請求項２】
前記操作部は、回動軸を支点として弾性部材の付勢により上下方向に回動し、上面には前記弾性部材の付勢での上下動によりカセット下端の前記突起に係脱する係止突起が形設され、これらが硬質合成樹脂にて一体形成して成ることを特徴とする請求項１記載のカセット式ステープラー。
【請求項３】
前記フレーム部とカバー部が硬質合成樹脂にて形成して成る事を特徴とする請求項１又は２記載のカセット式ステープラー。
【請求項４】
前記フレーム部とキャップ部が硬質合成樹脂にて形成して成ることを特徴とする請求項１又は２記載のカセット式ステープラー。
【請求項５】
前記フレーム部とカバー部とキャップ部が硬質合成樹脂にて形成して成ることを特徴とする請求項１又は２記載のカセット式ステープラー。
【請求項６】
ブレードの上下動で針を駆動されるカセット式ステープラーにおいて、
前記ブレードが上部にのみブレードホルダが形成され、このブレードを支持するキャップの上部に補助ガイドが形設されており、
挿入先端下面部に係止突起が突設されているカセット式ステープラーのカセットを装着するフレームにカセットガイド部が備えられたカバー部が設けられ、該カセットガイド部後端下部に回動軸を支点とし発条体で上方に付勢されているレバーを備えた操作部が配設され、該レバーの上面に前記カセットの下面部突起に係合する係止突起を形設すると共に、前記カセットガイド部後端に前記カセットを取り出す方向に付勢する弾性部材を配設してなり、
前記弾性部材で付勢されている前記操作部を下方に押圧することで、前記レバーを回動させて、前記カセットの係止突起に自動的に係止している前記レバーの係止突起の係止を解除可能にしたことを特徴とするカセット式ステープラー。
【請求項７】
前記操作部は、回動軸を支点として弾性部材の付勢により上下方向に回動し、上面には前記弾性部材の付勢での上下動によりカセット下端の前記突起に係脱する係止突起が形設され、これらが硬質合成樹脂にて一体形成して成ることを特徴とする請求項６記載のカセット式ステープラー。
【請求項８】
前記フレーム部とカバー部が硬質合成樹脂にて形成して成ることを特徴とする請求項６又は７記載のカセット式ステープラー。
【請求項９】
前記フレーム部とキャップ部が硬質合成樹脂にて形成して成ることを特徴とする請求項６又は７記載のカセット式ステープラー。
【請求項１０】
前記フレーム部とカバー部とキャップ部が硬質合成樹脂にて形成して成ることを特徴とする請求項６又は７記載のカセット式ステープラー。
【請求項１１】
前記フレームと前記カセットとの係合が、ストッパーによる係合をも具えており、ストッパーによる係合によって、前記カセットの係止突起に自動的に係止している前記レバーの係止突起の係止を解除した際に、カセットがフレームから前方に飛び出すのを一時的に止めるようにされていることを特徴とする請求項１に記載のカセット式ステープラー。
【発明の詳細な説明】
発明の属する技術分野
本発明は、ステープルを収納したカセットを装着する大型のカセット式ステープラーに関し、特にカセットの係止手段に関する。
従来の技術
従来のカセット式ステープラーとしては、特開昭６３−８４８８１号公報、及び特公平３−２５３０８号公報に開示された発明が知られている。
前記両公報に開示された発明は、いずれも角形筒状に形成されたカセット内にステープルが収納され、このカセットを筒状のカセットホルダに装着してベースの後端を支点として回動するハンドルの先端部に設けられたブレードにてステープルを打ち出す小型のステープラーであって、カセットホルダの装着位置を固定する係止手段は、カセットホルダの上面又は下面に設けられた係止穴を通して、カセットに設けられた係止穴に係止突起を挿脱する構成のものである。
発明が解決しようとする課題
前記従来例のステープラーは、綴じ厚が比較的薄く、それほど大きな力を要しない小型のものであって、本願発明に係る大型のステープラーは、ベース面に対して回動するフレームが設けられており、このフレームに対してカセットを簡単な構造にて係脱する係止手段は今までに開発されていなかった。
よって本発明は、前記従来の問題点に鑑みてなされたものであり、カセットの後端下面に簡単な構成にて係止手段を設けた大型のステープラーの提供を目的とする。
課題を解決するための手段
上記目的を達成するため、本発明に係る請求項１のカセット式ステープラーは、挿入先端下面部に係止突起が突設されているカセット式ステープラーのカセットを装着するフレームにカセットガイド部を備えたカバー部に設けられ、該カセットガイド部後端下部に回動軸を支点とし発条体で上方に付勢されているレバーを備えた操作部が配設され、該レバーの上面に前記カセットの下面部突起に係合する係止突起を形設すると共に、前記カセットガイド部後端に前記カセットを取り出す方向に付勢する弾性部材を配設して成り、前記弾性部材で付勢されている前記操作部を下方に押圧することで、前記レバーを回動させて、前記カセットの係止突起に自動的に係止している前記レバーの係止突起の係止を解除可能にしたことを特徴とする。
請求項２の発明は、前記操作部が、回動軸を支点として弾性部材の付勢により上下方向に回動し、上面には前記弾性部材の付勢での上下動によりカセット下端の前記突起に係脱する係止突起が形設され、これらが硬質合成樹脂にて一体形成して成ることを特徴とする。
請求項３ないし５の発明は、前記フレームと前記カバー部と、前記フレームと前記キャップ部と、前記フレームと前記カバー部と前記キャップ部とがそれぞれ硬質合成樹脂にて一体形成して成ることを特徴とする。
請求項１１の発明は、前記フレームと前記カセットとの係合が、ストッパーによる係合をも具えており、ストッパーによる係合によって、前記カセットの係止突起に自動的に係止している前記レバーの係止突起の係止を解除した際に、カセットがフレームから前方に飛び出すのを一時的に止めるようにされていることを特徴とする。
請求項１によれば、本発明のカセット式ステープラーは、カセットをフレームに挿入するだけで装着位置が固定され、操作部のレバーを下方に押圧するだけで、係止突起の係止を解除し、その際に弾性部材（バネ）の付勢で、飛び出るような形態でカセットを抜き取ることができる。カセットの装着が簡単な構成にてコンパクトな係止手段である。
請求項２によれば、フックがプラスチックから成ることにより係止手段を安価に構成することが可能となる。
請求項３ないし５によれば、フレームとカバー部と、フレームとキャップ部と、フレームとカバー部とキャップ部とを一体形成したことにより部品点数が削減され更に安価に構成することが可能となる。
また、請求項６の発明は、ブレードの上下動で針を駆動させるカセット式ステープラーにおいて、前記ブレードが上部にのみブレードホルダーが形成され、このブレードを支持するキャップの上部に補助ガイドが形設されており、挿入先端下面部に係止突起が突設されているカセット式ステープラーのカセットを装着するフレームにカセットガイド部が備えられたカバー部が設けられ、該カセットガイド部後端下部に回動軸を支点とし発条体で上方に付勢されているレバーを備えた操作部が配設され、該レバーの上面に前記カセットの下面部突起に係合する係止突起を形設すると共に、前記カセットガイド部後端に前記カセットを取り出す方向に付勢する弾性部材を配設して成り、前記弾性部材で付勢されている前記操作部を下方に押圧することで、前記レバーを回動させて、前記カセットの係止突起に自動的に係止している前記レバーの係止突起の係止を解除可能にしたことを特徴とする。
請求項７の発明は、前記操作部は、回動軸を支点として弾性部材の付勢により上下方向に回動し、上面には前記弾性部材の付勢での上下動によりカセット下端の前記突起に係脱する係止突起が形設され、これらが硬質合成樹脂にて一体形成して成ることを特徴とする。
請求項８ないし１０の発明は、前記フレームと前記カバー部と、前記フレームと前記キャップ部と、前記フレームと前記カバー部と前記キャップ部とがそれぞれ硬質合成樹脂にて一体形成して成ることを特徴とする。
請求項６によれば、本発明のカセット式ステープラーは、ブレードホルダ６を小さくすることによって、フレームへの組付けを容易に行うことができる。更に、カセットをフレームに挿入するだけで装着位置が固定され、操作部のレバーを下方に押圧するだけで、係止突起の係止を解除し、その際に弾性部材（バネ）の付勢で、飛び出るような形態でカセットを抜き取ることができる。カセットの装着が簡単な構成にてコンパクトな係止手段である。
請求項７によれば、フックがプラスチックから成ることにより係止手段を安価に構成することが可能となる。
請求項８ないし１０によれば、フレームとカバー部と、フレームとキャップ部と、フレームとカバー部とキャップ部とを一体形成したことにより部品点数が削減され更に安価に構成することが可能となる
請求項１１によれば、通常設けられている係合に加え、ストッパーによる係合が加えられる点が特徴である。ストッパーによる係合（第二の係合）は、通常の係合（第一の係合）が解かれた際に、カセットが、勢いよく前方に飛び出すのを、一時的に止めるものとして機能する。第二の係合は、一時的なものである必要がある。すなわち、容易な手段によって第二の係合を解き、カセットをステープラ本体から完全に取り外すことができる手段を有することが必要である。
実施例１
図１から図６は本発明の実施例１に係り、図１はステープラーの側面を示す要部断面図、図２は係止手段の作動を示す要部断面図、図３及び図４はカセットの装脱を示すステープラーの側面図、図５はステープラーの前端面を示す図、図６はステープラーの後端面を示す図である。
図４に示すように、本発明に係るステープラーの主要部分はベース１と、ベース１の後端部を支点にして回動自在に設けられたフレーム２と、フレーム２に装着されたカセット５と、フレーム２の後端部に設けられたカバー部３と、フレーム２の上方にてベースの後端部を支点にして回動することによりフレーム２に上下動自在に装着されたブレード７を下降させてカセット５に収納されたステープル１０を打ち出すハンドル４とからなる。
更にこのステープラーの詳細は、図１に示すように、フレーム２の先端部にはキャップ８が固定されており、ブレードホルダ６に固定されたブレード７はこのキャップ８にて上下動がガイドされている。また、ブレード７は、図４に示すハンドル４にてブレードホルダ６の上端が押圧されることにより下降してカセット５内のステープル１０を打ち出した後、バネ９の付勢にて上昇する構成となっている。特に、フレーム２とカバー３とキャップ８は、フレーム２とカバー３と、またフレームとキャップ８と、さらにフレーム２とカバー３とキャップ８をそれぞれ硬質合成樹脂で一体に形成することができる。これによって、部品数が少なく、コストを軽減することができる。
また、図１に示すように、フレーム２の後方には鍵形のカバー３が設けられており、一方、ベース１の面にはベースバネ１１が設けられていて、このベースバネ１１によりカセット５の下面がガイドプレート１２を介して上方に押圧されている。これにより、カセット５は、カバー３のガイド部１３の下面とガイドプレート１２との間に挿入することによりベースバネ１１の押圧力にてガタつかなく装着される構成となっている。
更に、カセット５の後端面は、カバー３の鍵形壁面３ａとの間に設けられた弾性部材であるコイル状の押しバネ１４により押し出しされる方向に常に付勢されている。そして、カセット５の後端下面にはカセット５の装着位置を固定する係止手段１５が設けられている。
係止手段１５の詳細は、カセット５の後部に設けられた係止凸部１６と、係止凸部１６に対応してフレーム側に設けられた支点１７を中心に回動するレバー１８及び支点１７近傍の上面に設けられて係止凸部１６に係止する係止突起１９及びレバー１８がカバー３の外側に伸びて連設された操作部２０とがプラスチックにて形成されたフック２１と、ベース１の面に設けられてフック２１を上方、即ち係止凸部１６側に押圧するフックバネ２２とにより構成されている。
そして、このフック２１は、レバー１８を手動にて下方に押し下げることにより、図２に示すように、係止突起１９が係止凸部１６から外れて係止が開放され、カセット５は後端の押しバネ１４にて押し出される。
本実施例によれば、係止手段は簡単な構成であり、フック２１はフックバネ２２にて常に押し上げられているので、カセット５をフレーム２内に押し込むだけで係止凸部１６と係止突起１９とが自動的に係合して装着位置が固定される。また係止手段１５による固定はフック２１のレバーを手動にて下方に押圧するだけで係止が開放され、カセットは押しバネにて自動的に押し出されて取り外しが可能となる。
実施例２
図７及び図８は本発明の実施例２を説明するものである。図７はフックとフックバネを一体形成したフックを示す要部断面図、図８はフックの作動を示す要部断面図である。
本実施例は、前記実施例１において、フック２１を上方に押圧するためのフックバネが別体であったことに替えて、フックとフックバネをプラスチックにて一体形成したことを異にするものであり、その他の構成は前期実施例１と同様であるので同一構成部分には同一符号を付してその説明を省略する。
本実施例のフック３１は、前記実施例１におけるフック２１の回動支点１７近傍の下面に斜め下方の板バネ部３２を一体形成し、この板バネ部３２の開放端をベース１の面に弾設させたものである。
このフック３１は、図８に示すようにフック３１を下方に押圧することにより板バネ部３２が弾性変形して回動が可能となり、カセット５との係止が開放される構成であり、前記実施例１と同様な作用効果が得られる。
実施例３
図９及び図１０は本発明の実施例３に係るものである。図９はブレードホルダ６とブレード７の構造を示す要部断面図、図１０はブレードホルダ６とブレード７の詳細を示す拡大図である。
この実施例３のステープラーは、図９に示すように、フレーム２の先端部にはキャップ８が固定されており、ブレードホルダ６に固定されたブレード７はこのキャップ８にて上下動がガイドされている。ブレードホルダ６がブレード７の頂部にのみ形設されている。そしてキャップ８の上部に補助ガイド３５が形設されている。
ブレードホルダ６は、図１０に示すように、１ブレード７の幅より広く形成されている。また、ブレード７のバネ９を係止する孔７ａが開孔されている。
このブレード７は図４に示すハンドル４にてブレードホルダ６の上端が押圧されることにより下降してカセット５内のステープル１０を打ち出した後、バネ９の付勢にて上昇する構成となっている。
このようにブレードホルダ６を小さくすることによって、フレーム２への組付けを容易に行うことでき、かつ安価に製造することができる。
実施例４
図１１及び図１２は、実施例４に係り、いずれもフックの作動を示す要部断面図である。
本実施例では、ストッパー４０が設けてあることが特徴である。
図に示すとおり、フック３５は操作部３６と係止部３８を有し、操作部３６がカバー３の後端外方に、係止部３８がカバー３の後端内方に位置するように配置されている。フックの底部３７下方にはフックバネ２２が設けてあり、フック３５が図１１に示すような位置に維持される方向の力が働いている。ストッパー４０はストッパー基部４１においてガイドブレード１２の底部に取り付けられている。ストッパー自由端４１は、上方から小さな力が加わってストッパー自身が撓むことにより、ストッパー基部４１を支点に図１２の矢印の示す方向に微動できる。
カセット５をカバー部３に装入する際、図１１に示すとおり、カセットの係止凸部１６とフック３５とが衝突し、フックバネ２２の弾性によってフックの係止部３８が係止凸部１６に嵌りこんで係合し、カセット５がフレームに対し位置決めされる（図８）。カセット７を取り外す際には、図１２に示すとおり、フックの操作部３６をフックバネ２２に抗して押し下げて、フックの係止部３８とカセットの係止突起１６の係合を解く。そうすると、カセット５は、押しバネ１４の弾性等によって、前方に飛び出そうとする。このとき、カセット５の係止凸部１６がストッパー４０の自由端４１と係合することにより、カセットが飛び出すのを止める（図１２）。その後、カセット５を把持して前方に引けば、係止凸部１６とフック３５の係合は、ストッパー自由端４１の上下方向の微動によって容易に外れ、カセットを引き抜くことができる。
発明の効果
本発明によれば、カセットの係止手段としてカセットの後端下面を係止するフックを回動自在に設けたことにより、係止手段を簡単な構成にてコンパクトに構成することが可能となる。これによりカセット式ステープラーを安価に製造することが可能となる。
【図面の簡単な説明】
図１は、本発明の実施例に係るステープラーの側面を示す要部断面図である。
図２は、錠止手段の作動を示す要部断面図である。
図３は、カセットの装脱を示すステープラーの側面図である。
図４は、カセットの装脱を示すステープラーの側面図である。
図５は、ステープラーの前端面を示す図である。
図６は、ステープラーの後端面を示す図である。
図７は、フックとフックバネを一体形成したフックを示す要部断面図である。
図８は、フックの作動を示す要部断面図である。
図９は、実施例３に示すブレードホルダとブレードの関係を示す要部断面図である。
図１０は、図９に示すブレードホルダとブレードの要部拡大図である。
図１１は、実施例４のフックの作動を示す要部断面図である。
図１２は、実施例４のフックの作動を示す要部断面図である。
符号の説明
１・・・ベース
２・・・フレーム
３・・・カバー
４・・・ハンドル
５・・・カセット
６・・・ブレードホルダ
７・・・ブレード
８・・・キャップ
９・・・バネ
１０・・・ステープル
１１・・・ベースバネ
１２・・・ガイドプレート
１３・・・ガイド部
１４・・・押しバネ
１５・・・係止手段
１６・・・係止凸部
１７・・・支点
１８・・・レバー
１９・・・係止突起
２０・・・操作部
２１・・・フック
２２・・・フックバネ
３１・・・フック
３２・・・板バネ部
３５・・・フック
３６・・・操作部
３７・・・底部
３８・・・係止部
４０・・・ストッパー
４１・・・ストッパー自由端
４２・・・ストッパー基部
【図１】
2003099522.tif 000003
【図２】
2003099522.tif 000004
【図３】
2003099522.tif 000005
【図４】
2003099522.tif 000006
【図５】
2003099522.tif 000007
【図６】
2003099522.tif 000008
【図７】
2003099522.tif 000009
【図８】
2003099522.tif 000010
【図９】
2003099522.tif 000011
【図１０】
2003099522.tif 000012
【図１１】
2003099522.tif 000013
【図１２】
2003099522.tif 000014
【国際調査報告】
2003099522.tif 000015
2003099522.tif 000016
2003099522.tif 000017
2003099522.tif 000018